(57)【特許請求の範囲】
【請求項１】
走行機台（１）上の左側に脱穀部（Ａ）を搭載し右側には前側から操縦部（Ｃ）と穀粒収納部（Ｄ）を配置し、脱穀部（Ａ）から操縦部（Ｃ）の前方にかけて刈取部（Ｂ）を設け、該刈取部（Ｂ）は横方向に列設する数本の引起しケ−ス（２）の上部に掛け渡した引起し駆動軸（３）から各引起しケ−ス（２）に内装する引起しタイン（４）回行用のチエンを回動させる全面刈りのもので、操縦部（Ｃ）のフロントコラム（５）を幅狭の柱状のものにして運転席（６）の右側前方に偏位突設させ、該フロントコラム（５）を柱状にして偏位突設させることにより生じる該フロントコラム（５）側方の空間（Ｐ）に前記刈取部（Ｂ）を常時入り込ませるか、または、刈取部（Ｂ）を上昇させることにより前記空間（Ｐ）に入り込ませる構成にするとともに前記フロントコラム（５）の側面からサイドコラム（８）にわたって、フロントコラム（５）側方の空間（Ｐ）と操縦部（Ｃ）を仕切る隔壁（１３）を立設したことを特徴とする全面刈りコンバインのフロントコラム。
【請求項２】
ゲ−ト状に形成したフロントアシストバ−（７）の右脚部（７ａ）をフロントコラム（５）に固定し、左脚部（７ｂ）をサイドコラム（８）に上方から挿入して機体がわに連結したことを特徴とする請求項１．記載の全面刈りコンバインのフロントコラム。
【発明の詳細な説明】
【０００１】
【産業上の利用分野】
本発明は、走行機台上の左側に脱穀部を搭載し右側には前側から操縦部と穀粒収納部を配置し、脱穀部から操縦部の前方にかけて刈取部を設け、該刈取部は横方向に列設する数本の引起しケ−スの上部に掛け渡した引起し駆動軸から各引起しケ−スに内装する引起しタイン回行用のチエンを回動させる全面刈りコンバインのフロントコラムに関するものである。
【０００２】
【従来の技術】
従来、上記のように刈取部を構成し、その刈取部を脱穀部と操縦部および穀粒収納部と上述せる配置にして組成した全面刈りのコンバインにあっては、運転席の前方に立設するフロントコラムはその運転席の左側前方から右側前方にわたって幅広く設けられ、刈取部の右側構成部分はフロントコラムの前面から一定の間隔を保つように構成されている。そのためにコンバインの前後長が短縮されず狭い場所での旋回を困難にするとともに、操縦部に位置するオペレ−タは刈取部の上部によって視界が遮られて刈取状況を把握しにくいという欠点を有している。また、機台上の右側には前側から運転操作部と穀粒受台を配置し、脱穀機から運転操作部にかけて刈取装置を設け、穀稈引起装置の上部に掛け渡した引起軸から引起タインのチェンを回動させる全面刈のものが実開昭５３−１０３８３８号公報に開示されている。さらに、操作ボックスをステップの外側方に配置し、しかも、前部を中心にして開閉自在にするとともにサイドコラムを運転席の刈取部がわに設け、前方視界の拡張と刈取状況の把握を行い易くした構成が実開昭６３−１９１１３３号公報に記載されているが、本願のフロントコラムの配置と異なり刈取部が入り込む空間が存在しない構成である。その他にフロントコラム外側の機枠に連結杆を取付けた後に、ステップ幅と同幅にした該フロントコラムの上面と並行に連結杆を屈曲させて脱穀機がわに延長し、その一端を機体枠に取付けたアシストバーの構成が実開昭６３−０５０５３４号公報に開示されているが、本願は柱状のフロントコラムを運転席の右側前方に偏位突設させ、その側方に形成した空間と操縦部を仕切る隔壁を立設し、前記フロントコラムの下方がわを機体枠と接続させ、上方がわにアシストバーを設けた構成にしたものである。
【０００３】
【発明が解決しようとする課題】
そこで、この発明は上記のような全面刈りコンバインにおける欠点を解決して機体の前後長の圧縮により旋回性をよくし、オペレ−タの刈取部越しの視界も良好にすることによって刈取作業を能率的に行えるものにするのを目的として発明するに至ったものである。
【０００４】
【課題を解決するための手段】
本発明は前項に記載する目的を遂行するために、走行機台上の左側に脱穀部を搭載し右側には前側から操縦部と穀粒収納部を配置し、脱穀部から操縦部の前方にかけて刈取部を設け、該刈取部は横方向に列設する数本の引起しケ−スの上部に掛け渡した引起し駆動軸から各引起しケ−スに内装する引起しタイン回行用のチエンを回動させる全面刈りのもので、操縦部のフロントコラムを幅狭の柱状のものにして運転席の右側前方に偏位突設させ、該フロントコラムを柱状にして偏位突設させることにより生じる該フロントコラム側方の空間に前記刈取部を常時入り込ませるか、または、刈取部を上昇させることにより前記空間に入り込ませる構成にするとともに前記フロントコラムの側面からサイドコラムにわたって、フロントコラム側方の空間と操縦部を仕切る隔壁を立設した構成にしたことを特徴とするものである。
【０００５】
【作用】
これによって、横方向に列設する数本の引起しケ−スの上部に掛け渡した引起し駆動軸から各引起しケ−スに内装する引起しタイン回行用のチエンを回動させて穀稈を引起し全面刈りをしながら、その刈取穀稈は脱穀部に搬送されて脱穀処理されその処理された穀粒は穀粒収納部に収納されるとともに、脱穀済の排藁は後方に搬出されて刈取りが行われるのである。
【０００６】
そして、コンバインは操縦部のフロントコラムが幅狭の柱状のものになって運転席の右側前方に偏位し、従来の運転席の前方に幅広く立設されていたフロントコラムの前面がわが大きく切欠がれた状態になり、その切欠がれた状態の空間に刈取部の右側構成部分が常時入り込むか、または、刈取部の上昇により入り込むようになって機体の前後長は圧縮され、旋回性がよくなるとともに操縦部に位置するオペレ−タも刈取部越しの視界が良好になって刈取状況を把握でき能率よく刈取が行えるのである。さらに、前記フロントコラム側方の空間と操縦部を仕切る隔壁によって、運転者の足元を防護するとともに柱状にしたフロントコラムの下方がわとサイドコラムを該隔壁で接続し、上方がわをアシストバーで連結したので該フロントコラム（５）の支持が強固に補強された。
【０００７】
【実施例】
以下、この発明について実施例図を参照し説明すると、（１）はクロ−ラ式走行装置により支持された走行機台で、その走行機台（１）上の左側に脱穀部（Ａ）を搭載し、右側には前側から操縦部（Ｃ）と穀粒タンクを備えた穀粒収納部（Ｄ）を配置し、運転席（６）の下にエンジンル−ム（Ｅ）を設け、脱穀部（Ａ）から操縦部（Ｃ）の前方にかけては数本の引起しケ−ス（２）を横方向に列設し、その引起しケ−ス（２）に内装する引起しタイン（４）を上昇下降させて回行させるチエンを、列設する引起しケ−ス（２）の上部に掛け渡した引起し駆動軸（３）から伝動させるようにした引起し装置を有する刈取部（Ｂ）が設けられて全面刈りのコンバインを組成し、刈取部（Ｂ）での刈取穀稈を脱穀部（Ａ）に搬送して脱穀処理し、穀粒を穀粒収納部（Ｄ）に収納しながら脱穀済の排藁は後方に搬出されるようになっている。なお、（９）は引起し駆動軸（３）等の駆動部材を覆うカバ−体、（１０）は刈取部（Ｂ）の側板である。
【０００８】
次に、（５）は操縦部（Ｃ）におけるフロントコラムで、このフロントコラム（５）は幅狭の柱状のもので運転席（６）の右側前方に偏位させて立設し、その上面には操向用のステアリングレバ−（１１）を備え、右外側面には駐車ブレ−キレバ−（１２）を装着し、内部にオ−ルマイテイステアリングとその構成物等が内装されている。
【０００９】
そして、前記フロントコラム（５）を柱状にして右側に偏位させることにより生ずる空間（Ｐ）に刈取部（Ｂ）の右側構成部分を入り込ませてあるが、その右側構成部分は刈取部（Ｂ）の上昇によって入り込む状態になるようにしてもよいのである。また、フロントコラム（５）とサイドコラム（８）の間は鉄板或は樹脂板からなる隔壁（１３）によって刈取部（Ｂ）と仕切り、サイドコラム（８）には従来から走行用の変速レバ−（１４）等を備えているがフロントコラム（５）が幅狭になることによりフロントコラム（５）からコンビネ−ションメ−タ（１５）等が移設されている。
【００１０】
また、（７）はゲ−ト状に形成したフロントアシストバ−で、その右脚部（７ａ）はフロントコラム（５）の外側面上部に固定され、左脚部（７ｂ）はサイドコラム（８）の前部に上方から挿入されてステップ部材（１６）等の機体がわに連結してある。なお、（１７）はフロントアシストバ−（７）のグリップである。
【００１１】
したがって、刈取部（Ｂ）は常時空間（Ｐ）に入り込む状態になるか、または、刈取部（Ｂ）の上昇によって入り込むようになって、機体の前後長は圧縮され旋回がよくなるとともにオペレ−タは刈取部（Ｂ）越しの視界が良好になって能率のよい刈取を行うことができ、また、フロントアシストバ−（７）の右脚部（７ａ）をフロントコラム（５）に固定し、左脚部（７ｂ）をサイドコラム（８）に上方から挿入して機体がわに連結することにより、フロントアシストバ−（７）が補強部材を兼用しフロントコラム（５）の支持が補強されて強固に保持されるのである。
【００１２】
【発明の効果】
本発明は以上説明したように、走行機台（１）上の左側に脱穀部（Ａ）を搭載し右側には前側から操縦部（Ｃ）と穀粒収納部（Ｄ）を配置し、脱穀部（Ａ）から操縦部（Ｃ）の前方にかけて刈取部（Ｂ）を設け、該刈取部（Ｂ）は横方向に列設する数本の引起しケ−ス（２）の上部に掛け渡した引起し駆動軸（３）から各引起しケ−ス（２）に内装する引起しタイン（４）回行用のチエンを回動させる全面刈りのもので、操縦部（Ｃ）のフロントコラム（５）を幅狭の柱状のものにして運転席（６）の右側前方に偏位突設させ、該フロントコラム（５）を柱状にして偏位突設させることにより生じる該フロントコラム（５）側方の空間（Ｐ）に前記刈取部（Ｂ）を常時入り込ませるか、または、刈取部（Ｂ）を上昇させることにより前記空間（Ｐ）に入り込ませる構成にするとともに前記フロントコラム（５）の側面からサイドコラム（８）にわたって、フロントコラム（５）側方の空間（Ｐ）と操縦部（Ｃ）を仕切る隔壁（１３）を立設したことを特徴とするものであるから、全面刈りコンバインで列設する引起しケ−ス（２）の引起しタイン（４）回行用のチエンを引起しケ−ス（２）の上部に横方向に掛け渡した引起し駆動軸（３）から回動させる構成のものにあっては、その引起し駆動軸（３）のために刈取部（Ｂ）の上部は或る程度の前後幅を有するものになるけれども、フロントコラム（５）を幅狭の柱状のものにして運転席（６）の右側前方に偏位突設させ、フロントコラム（５）を柱状にして偏位突設させることにより生じる空間（Ｐ）に刈取部（Ｂ）を常時入り込ませるか、または、刈取部（Ｂ）を上昇させることにより前記空間（Ｐ）に入り込ませる構成にしたことにより、コンバインの前後長が圧縮されて機体の旋回性がよくなるとともに、操縦部（Ｃ）におけるオペレ−タは刈取部（Ｂ）越しの視界が良好になって刈取作業が能率的に行え、しかも、前記フロントコラム（５）側方の空間（Ｐ）と操縦部（Ｃ）を仕切る隔壁（１３）によって、柱状にしたフロントコラム（５）の下方がわとサイドコラム（８）を接続し、上方がわをアシストバー（７）で連結させたので該フロントコラム（５）の支持が強固に補強された。
【図面の簡単な説明】
【図１】  操縦部と刈取部の関係を示す平面図である。
【図２】  同操縦部と刈取部の関係を示す前方視図である。
【図３】  コンバイン全体の側面図である。
【符号の説明】
Ａ  脱穀部
Ｂ  刈取部
Ｃ  操縦部
Ｄ  穀粒収納部
Ｐ  空間
１  走行機台
２  引起しケ−ス
３  引起し駆動軸
４  引起しタイン
５  フロントコラム
６  運転席
７  フロントアシストバ−
７ａ  右脚部
７ｂ  左脚部
８  サイドコラム
１３  隔壁
【図１】
0003736882.tif 000002
【図２】
0003736882.tif 000003
【図３】
0003736882.tif 000004